(57)【要約】【課題】反射板により安定した光制御ができ、光ムラの改善ができるＬＥＤ照明器具を提供する。【解決手段】ＬＥＤ光源３１と反射板４０との間に透光性のパネル３４を設けたので、ＬＥＤ光源３１から発せられた光は、パネル３４を透過した後に反射板４０により制御される。これにより、パネル３４で表面反射されなかった光だけを取り出して、反射板４０で安定的に光制御することができ、光ムラを改善できる。【選択図】図３
2013235696.tif 000002
【特許請求の範囲】
【請求項１】
ＬＥＤ光源と、
前記ＬＥＤ光源からの光を制御する反射板と、
前記反射板を収容し、一端側に前記ＬＥＤ光源の光を照射する照射開口を有する枠と、を有し、
前記ＬＥＤ光源と前記反射板との間に透光性のパネルを設けたＬＥＤ照明器具。
【請求項２】
請求項１に記載のＬＥＤ照明器具において、
前記反射板における前記ＬＥＤ光源側と反対側の反射板開口の内径と、前記枠の前記照射開口の内径とを同一にしたＬＥＤ照明器具。
【発明の詳細な説明】
【技術分野】
【０００１】
本発明は、ＬＥＤ光源から発せられた光を反射板により制御するＬＥＤ照明器具に関するものである。
【背景技術】
【０００２】
従来より、天井等に埋め込んで用いられ、ＬＥＤ光源から発せられた光を反射板により制御する照明器具が知られている（例えば、特許文献１参照）。
図４（Ｂ）に示すように、特許文献１に記載の照明器具１００では、ＬＥＤチップ１０１が実装された基板１０２を有するＬＥＤモジュール１０３と、基部１０４及び枠体部１０５を結合して成る有底筒状の器具本体１０６とを備える。
【０００３】
基部１０４の下部には、上方に向かって窪んだ第１の凹部１０７が設けられており、第１の凹部１０７の内底部にＬＥＤモジュール１０３が取付固定される。
枠体部１０５の上部には、下方に向かって窪んだ第２の凹部１０８が設けられており、第２の凹部１０８の内底部にＬＥＤチップ１０１からの光が入射する円形状の入射口１０９（図４（Ａ）参照）が開口している。
【０００４】
図４（Ａ）に示すように、入射口１０９の上側には、拡散透光性を有する円盤状の透光パネル１１０が円環状のパッキン１１１を介して載置される。
これにより、透光パネル１１０によって入射口１０９が閉塞され、第１の凹部１０７及び第２の凹部１０８によってＬＥＤチップ１０１からの熱を対流させる放熱空間が構成される。
【０００５】
また、第２の凹部１０８の内底部には、環状反射板１１２が設けられている。環状反射板１１２の内側の開口周縁には、上方に向かって突出する起立部１１３が周方向に亘って設けられている。
この起立部１１３の内周面は、ＬＥＤチップ１０１からの光を反射する反射面となっている。
これにより、ＬＥＤチップ１０１からの光を起立部１１３の内周面で反射させて、入射口１０９に集光させるようになっている（図４（Ｂ）中矢印Ａ参照）。
【先行技術文献】
【特許文献】
【０００６】
【特許文献１】特開２０１１−２１０６２１号公報（第１図）
【発明の概要】
【発明が解決しようとする課題】
【０００７】
しかしながら、上述したような従来の照明器具１００においては、ＬＥＤチップ１０１からの光は、反射板である起立部１１３で反射した後に、透光パネル１１０で光制御される。
このため、反射した後に透光パネル１１０に入射した光の一部が、透光パネル１１０の表面で反射して、意図する方向と異なる光が生じることによりムラが生じ、十分な制御が行われないおそれがあるという問題があった。
【０００８】
本発明は、従来の問題を解決するためになされたもので、反射板により安定した光制御ができ、光ムラの改善ができるＬＥＤ照明器具を提供することを目的とする。
【課題を解決するための手段】
【０００９】
本発明のＬＥＤ照明器具は、ＬＥＤ光源と、前記ＬＥＤ光源からの光を制御する反射板と、前記反射板を収容し、一端側に前記ＬＥＤ光源の光を照射する照射開口を有する枠と、を有し、前記ＬＥＤ光源と前記反射板との間に透光性のパネルを設けたものである。
【００１０】
また、本発明のＬＥＤ照明器具は、前記反射板における前記ＬＥＤ光源側と反対側の反射板開口の内径と、前記枠の前記照射開口の内径とを同一にしたものである。
【発明の効果】
【００１１】
本発明は、ＬＥＤ光源と反射板との間に透光性のパネルを設けたので、ＬＥＤ光源から発せられた光は、パネルを透過した後に反射板により制御される。これにより、パネルで表面反射されなかった本体の光だけを取り出して、反射板で安定的に光制御ができ、光ムラを改善できるという効果を有するＬＥＤ照明器具を提供できる。
【図面の簡単な説明】
【００１２】
【図１】本発明に係る実施形態のＬＥＤ照明器具を下方から見た斜視図
【図２】本発明に係る実施形態のＬＥＤ照明器具を上方から見た分解斜視図
【図３】本発明に係る実施形態のＬＥＤ照明器具を垂直に切断した断面図
【図４】（Ａ）は従来の照明器具における枠体部の分解斜視図であり、（Ｂ）は従来の照明器具を垂直に切断した断面図
【発明を実施するための形態】
【００１３】
以下、本発明に係る実施形態のＬＥＤ照明器具について、図面を用いて説明する。
図１に示すように、本発明に係る実施形態のＬＥＤ照明器具１０は、被取付部である例えば天井面１１（図３参照）に設けられた取付孔１３（図３参照）に取り付けられて、主に下方を照明するのに用いることができる。
【００１４】
図２に示すように、ＬＥＤ照明器具１０は、ＬＥＤユニット３０を収容する本体２０と、本体２０の下側に取り付けられる略円筒形状の枠５０を有する。
図３に示すように、本体２０の底面２１には、下方に開口した凹状の収容部２２を有しており、収容部２２には、ＬＥＤユニット３０が収容される。
【００１５】
図１に示すように、本体２０の上面には、複数枚の放熱フィン２３が立設されており、ＬＥＤユニット３０が発した熱を、放出する。
なお、放熱フィン２３の上側には、ブラケット２４が取り付けられており、ブラケット２４には、ＬＥＤユニット３０に点灯電力を供給する電源制御部２５が取り付けられている。
電源制御部２５は、商用電源（図示省略）に接続されて電力の供給を受ける。
【００１６】
図３に示すように、ＬＥＤユニット３０は、ＬＥＤ光源３１と、ＬＥＤ光源３１を実装する基板３２と、基板３２を本体２０に取り付ける支持板３３を有する。
基板３２は電源制御部２５に接続されており、点灯電力の供給を受けて、ＬＥＤ光源３１が点灯する。
【００１７】
図１および図３に示すように、枠５０の下端部には、ＬＥＤ光源３１からの光を照射する照射開口５０２を有しており、照射開口５０２には、幅広のリング板状の鍔部５２が外側に突出して設けられている。
また、枠５０の外周面５３の下部には、周方向に均等間隔で複数個（ここでは、例えば３個）の取付ばね５４が設けられている。
従って、取付ばね５４が鍔部５２の上面との間に天井材１２を挟持することにより、ＬＥＤ照明器具１０を天井面１１に取り付ける。
【００１８】
図３に示すように、枠５０は、上下に開口した略円柱形状をしており、内部空間５１を有する。
内部空間５１の高さ方向中央部には段部５５が設けられており、内部空間５１は、段部５５より上側の大径部５１１と、段部５５より下側の小径部５１２から構成される。
すなわち、段部５５は、内部空間５１の内周面に沿って、全周にわたって上向きに取付面を有する。
【００１９】
内部空間５１の上側に位置する大径部５１１には、ＬＥＤユニット３０のＬＥＤ光源３１が発する光を、所望の方向および範囲に反射することにより制御する反射板４０が収容される。
反射板４０は、下方に向かって拡径する曲面状（ここでは、放物面状）の反射面４１を有し、反射面４１の下端には外向きに拡がる鍔状の取付部４２を有する。
従って、反射板４０を枠５０の内部空間５１に上方から挿入すると、取付部４２は、段部５５により係止される。
【００２０】
内部空間５１の下側に位置する小径部５１２には、光吸収部材４３が収容される。
光吸収部材４３は、円柱形状の本体４４を有し、本体４４の上端には外向きに拡がる鍔状の取付板部４５（図２参照）を有する。
本体４４の内面は、つや消し処理や、シボ加工した後に黒色に塗装して、光を反射しないようにしており、制御されない光の発生を抑えている。
【００２１】
本体４４の下端部は、縮径するようにテーパ部４６が設けられており、テーパ部４６の内径すなわち枠５０の照射開口５０２の内径Ｄ２は、反射板４０の下端部における反射板開口４０２の内径Ｄ１と等しくなっている。
これにより、反射面４１の形状を放物面とすることにより照射される平行光ＬＢ２を、照射開口５０２から垂直に放出する。
【００２２】
従って、光吸収部材４３および反射板４０を枠５０に取り付ける際には、まず、光吸収部材４３を枠５０の内部空間５１に上方から挿入する。
これにより、光吸収部材４３は、取付板部４５が枠５０内部空間５１の段部５５に係止される。
次いで、反射板４０を上方から内部空間５１に挿入すると、反射板４０の下端部の取付部４２が、段部５５に係止されている光吸収部材４３の取付板部４５の上面に当接して係止される。
最後に、反射板４０の取付部４２と、光吸収部材４３の取付板部４５を重ねた状態で、ビス５６により枠５０の段部５５に固定する。
【００２３】
図３に示すように、反射板４０を枠５０の内部空間５１に収容した状態で、反射板４０の上端面４０１は、枠５０の上端面５０１よりも低い位置にある。
従って、枠５０を本体２０に取り付けた状態で、本体２０の底面２１と反射板４０の上端面４０１との間には隙間が形成されており、この隙間に光学制御部材である透光性のパネル３４が設けられる（図２参照）。
【００２４】
すなわち、パネル３４は、ＬＥＤ光源３１と反射板４０との間に位置しており、ここでは反射板４０の上端面４０１に取り付けられている。
これにより、パネル３４で表面反射した光ＬＢ１は、反射板４０に入射されずに、外側に反射される。
なお、パネル３４としては、ガラス、ＰＣ（Polycarbonate）、ＰＭＭＡ（Poly Methyl Methacrylate＝ポリメタクリル酸メチル）等を用いることができる。
【００２５】
以上、説明した本発明に係る実施形態のＬＥＤ照明器具１０によれば、ＬＥＤ光源３１と反射板４０との間に透光性のパネル３４を設けたので、ＬＥＤ光源３１から発せられた光は、パネル３４を透過した後に反射板４０により制御されることになる。
これにより、パネル３４で表面反射されなかった光だけを取り出して、反射板４０で安定的に光制御することができ、光ムラを改善できる。
【００２６】
また、反射板４０におけるＬＥＤ光源３１側と反対側の反射板開口４０２の内径Ｄ１と、枠５０の照射開口５０２の内径Ｄ２とを同一にしたので、ビーム角を絞って、ロスやムラを抑制することができる。
【００２７】
なお、本発明のＬＥＤ照明器具は、前述した実施形態に限定されるものでなく、適宜な変形、改良等が可能である。
【符号の説明】
【００２８】
１０  ＬＥＤ照明器具
３１  ＬＥＤ光源
３４  パネル
４０  反射板
５０  枠
５０２  照射開口
Ｄ１  反射板開口の内径
Ｄ２  照射開口の内径
【図１】
2013235696.tif 000003
【図２】
2013235696.tif 000004
【図３】
2013235696.tif 000005
【図４】
2013235696.tif 000006